(57)【要約】【課題】同一アクセスネットワーク装置内の加入者が通信する場合、交換機と接続される回線のリソース及び交換機内のスイッチリソースを使用せず、通信パスを設定する。【解決手段】交換機１において、加入者３からのＳＥＴＵＰの着番号を分析し、加入者３と着信側加入者である加入者４（インターネット網）が同一アクセスネットワーク内であると判断した場合、加入者同士の通信パス設定要求を行うためのＡＬＬＯＣＡＴＩＯＮメッセージを送出し、加入者３とネットワーク装置２と加入者４との間に通信パス８を設定する。【選択図】　図１
2004015102.tif 000002
【特許請求の範囲】
【請求項１】
交換機と接続され、複数の加入者を収容するアクセスネットワーク装置を備えた交換システムにおいて、
発信側加入者からの信号を分析し、前記発信側加入者と着信側加入者とが同一アクセスネットワーク内であるか否かを判断する手段と、
前記発信側加入者と前記着信側加入者とが同一アクセスネットワーク内であった場合、前記交換機との通信パスを設定せずに前記アクセスネットワーク装置を介して通信パスを設定する手段とを有することを特徴とするアクセスネットワークの加入者収容網の接続方式。
【請求項２】
前記着信側加入者がインターネット網であることを特徴とする請求項１記載のアクセスネットワーク加入者収容網の接続方式。
【請求項３】
複数の加入者を収容するアクセスネットワーク装置を備えた交換機において、
発信側加入者からの信号を分析し、前記発信側加入者と着信側加入者とが同一アクセスネットワーク内であるか否かを判断する手段と、
前記発信側加入者と前記着信側加入者とが同一アクセスネットワーク内であった場合、前記交換機との通信パスを設定せずに前記アクセスネットワーク装置のみを介して通信パスを設定する手段とを有することを特徴とする交換機。
【請求項４】
前記着信側加入者がインターネット網であることを特徴とする請求項３記載の交換機。
【発明の詳細な説明】
【０００１】
【発明の属する技術分野】
本発明は、音声，画像，データ等、様々な情報を伝送するアクセスネットワークを収容する交換システムに関し、特に内線接続やインターネット接続の方式に関する。
【０００２】
【従来の技術】
近年、公衆網を経由したインターネット接続が増加している。電話による接続時間と比べてインターネット接続は時間が長いために交換機内のスイッチングリソースを長時間使用する。このため、スイッチリソースが不足し接続不可となる頻度が高くなってきているという問題がる。アクセスネットワークを収容する交換機においても上記のような問題が発生する。
【０００３】
そこで、従来の交換システムの接続方式は、図５に示すように、交換機１と、アクセスネットワーク装置２と、アクセスネットワーク内の加入者３，４とから構成されている。そして、加入者３から加入者４へ通信を行なう際に、発信側、着信側をそれぞれ通話パス設定のためのＡＬＬＯＣＡＴＩＯＮメッセージが送出される。つまり、図６に示すようにＥＴＳＩ勧告　ＥＴＳ　３００　３４７−１（Ｖ５．２　ｉｎｔｅｒｆａｃｅ　ｓｐｅｃｉｆｉｃａｔｉｏｎ）では、発信側、着信側それぞれで、アクセスネットワークに接続される回線リソース（回線５のタイムスロット）を使用し、交換機内のスイッチリソースを使用する。
【０００４】
【発明が解決しようとする課題】
しかしながら、従来の方式では、同一アクセスネットワーク装置内の加入者同士の通信でも、交換機と接続される回線のリソースを使用して交換機内のスイッチリソースを使用している。
そこで、本発明の目的は、同一アクセスネットワーク装置内の加入者が通信する場合には、交換装置と接続される回線のリソースを使用せず、交換機内のスイッチリソースを使用することなく、通信パスが設定できる交換機を提供することである。
【０００５】
【課題を解決するための手段】
本発明は、上記目的を達成するために、交換機と接続され、複数の加入者を収容するアクセスネットワーク装置を備えた交換システムにおいて、発信側加入者からの信号を分析し、前記発信側加入者と着信側加入者とが同一アクセスネットワーク内であるか否かを判断する手段と、前記発信側加入者と前記着信側加入者とが同一アクセスネットワーク内であった場合、前記交換機との通信パスを設定せずに前記アクセスネットワーク装置を介して通信パスを設定する手段とを有することを特徴とする。
【０００６】
【発明の実施の形態】
本発明の実施の形態について図面を参照しながら詳細に説明する。
図１を参照すると、本発明の第１の実施例では、交換機１が回線５を介してアクセスネットワーク装置２と接続され、加入者３及び加入者４はそれぞれＩＳＤＮ回線６，ＩＳＤＮ回線７を介してアクセスネットワーク装置２と接続されている。そして、交換機１は発着番号解析手段を備え、アクセスネットワーク装置２は通信パス設定手段を備えている。
【０００７】
上記の発着番号解析手段及び通信パス設定手段は、次のように動作する。
発着番号解析手段は、ＳＥＴＵＰの着番号を解析し、同一アクセスネットワーク内の接続と判断したとき、図２に示すようなＡＬＬＯＣＡＴＩＯＮメッセージを編集して送信する機能を有する。通信パス設定手段は、図２に示すＡＬＬＯＣＡＴＩＯＮメッセージにより装置内折り返し接続の通信パスを設定する機能を有する。
【０００８】
次に、図３を参照しながら本実施例の全体の動作について詳細に説明する。
加入者３が加入者４と通信する場合に、加入者３よりメッセージとしてＳＥＴＵＰが送出される。ＳＥＴＵＰを受信した交換機１は発着番号解析手段により、同一アクセスネットワーク内の加入者４（インターネット網）への接続、または初番号と着番号が同一アクセスネットワーク内であると判断した場合、図１のＡＬＬＯＣＡＴＩＯＮメッセージを送出する。また、着番号の解析が終了した時点で加入者３へＣＡＬＬ　ＰＲＯＣを送出し、加入者４へＳＥＴＵＰメッセージを送出する。
【０００９】
図２のＡＬＬＯＣＡＴＩＯＮメッセージを受信したアクセスネットワーク装置２は、通信パス設定手段により、自装置内接続と判断して加入者３と加入者４の通信に必要な通信パスを設定する。ＳＥＴＵＰを受信した加入者４はＡＬＥＲＴを交換機１へ送出する。ＡＬＥＲＴを受信した交換機１は加入者３へＡＬＥＲＴを送出する。加入者４が通話の準備ができた時点でＣＯＮＮＥＣＴを交換機１へ送出する。ＣＯＮＮＥＣＴを受信した交換機１は加入者３へＣＯＮＮＥＣＴ　ＡＣＫを返信し、加入者４へＣＯＮＮＥＣＴを送出する。
以上の手順により加入者３と加入者４の通話は、交換機１での通信パス設定を行わないので、交換機１とアクセスネットワーク装置２との間の回線資源、及び交換機１内のスイッチ資源を使用しないために、
【００１０】
【発明の効果】
以上説明したように本発明は、最小限の網内資源の使用で、同一アクセスネットワーク装置内の接続ができ、さらに交換機内の通信パス設定を行う必要がないため、同一アクセスネットワーク装置内の接続の場合に、接続時間が従来と比べて短縮できるという効果を奏する。
【図面の簡単な説明】
【図１】本発明の実施の形態の構成を示すブロック図である。
【図２】本発明の交換機１からアクセスネットワーク装置２への通信パス設定要求のフォーマットである。
【図３】本発明の実施の形態の動作を示すシーケンス図である。
【図４】従来の実施の形態の構成を示すブロック図である。
【図５】従来の交換機１からアクセスネットワーク装置２への通信パス設定要求のフォーマットである。
【符号の説明】
１　交換機
２　アクセスネットワーク装置
３，４　加入者
５　回線
６，７　ＩＳＤＮ回線
８，９，１０　通信パス
【図１】
2004015102.tif 000003
【図２】
2004015102.tif 000004
【図３】
2004015102.tif 000005
【図４】
2004015102.tif 000006
【図５】
2004015102.tif 000007